(57)【要約】【課題】取付穴３はネジの頭部で完全に閉鎖されないので、使用中に取付穴３内に水が侵入すると、その水はケーシングと壁面との間に流れ出る。ところが、全周をコーキング剤で封止されているので、その流れ出た水は排出されることがなく、コーキング剤で囲まれた空間の内側に溜まってしまうという不具合が生じる。【解決手段】取付穴３を囲繞する取付穴パッキン５をケーシング２１と壁面との間に挟んでケーシング２１を壁面に固定するようにした。【選択図】  図４
2008236302.tif 000002
【特許請求の範囲】
【請求項１】
防水構造のケーシングを有し、そのケーシングに前後方向に貫通する取付穴を有する電子機器を壁面に固定する電子機器の固定方法であって、ケーシングの後面と壁面との間に、取付穴に対応する部分が欠如している壁パッキンを挟み、ケーシングを壁面に固定したあと、ケーシングと壁面との間の隙間を全周にわたってコーキング剤で封止する方法において、上記取付穴を囲繞する取付穴パッキンをケーシングと壁面との間に挟んでケーシングを壁面に固定することを特徴とする電子機器の固定方法。
【請求項２】
上記壁パッキンを取付穴パッキンより変形しやすい材料で構成したことを特徴とする請求項２に記載の電子機器の固定方法。
【発明の詳細な説明】
【技術分野】
【０００１】
本発明は、浴室内の壁面等に固定される電子機器の固定方法に関する。
【背景技術】
【０００２】
従来のこの種の電子機器は、例えば浴室テレビでは防水性を備えたケーシングを有しており、このケーシングを浴室の壁面に固定している。ケーシングはねじ止めによって壁面に固定されるので、ケーシングには前後方向に貫通した取付穴が設けられている（例えば、特許文献１参照）。
【０００３】
また、ケーシングの後面には外部からのケーブル類がケーシング内に導入されるための導入口が設けられており、ケーシングと壁面との間を伝って水が侵入すると、この導入口に水が達するおそれがある。そこで、壁パッキンと呼ばれるスポンジ状のパッキンをケーシングの後面と壁面との間に挟んだ状態でねじ止めする。なお、壁パッキンが取付穴を塞がないように、壁パッキンをケーシングの後面に貼り付けた際に取付穴に対応する位置は壁パッキンの外縁から切り取られており、その切り取られた部分はケーシングと壁面とで挟まれた状態で外方に開放されるように構成されている。
【０００４】
なお、このように壁パッキンを用いても導入口に対する防水性を更に向上させるため、ケーシングを壁面に取り付けた状態で、ケーシングと壁面との間の隙間を全周にわたってコーキング剤で封止している。
【特許文献１】特開２００４−２０７８０１号公報（図２）
【発明の開示】
【発明が解決しようとする課題】
【０００５】
取付穴はネジの頭部で完全に閉鎖されないので、使用中に取付穴内に水が侵入するおそれがある。取付穴内に侵入した水はケーシングと壁面との間に流れ出るが、壁パッキンが存在しているので、その水が導入口へ更に侵入するおそれは少ない。
【０００６】
ところが、全周をコーキング剤で封止されているので、取付穴を通ってケーシングと壁面との間に侵入した水は排出されることがなく、コーキング剤で囲まれた空間の内側に溜まってしまうという不具合が生じる。このように水が溜まると壁面が腐食し、あるいはカビの発生やケーシングを固定しているネジの腐食などの不都合が生じるおそれがある。
【０００７】
そこで本発明は、上記の問題点に鑑み、このような不都合が生じない電子機器の固定方法を提供することを課題とする。
【課題を解決するための手段】
【０００８】
上記課題を解決するために本発明による電子機器の固定方法は、防水構造のケーシングを有し、そのケーシングに前後方向に貫通する取付穴を有する電子機器を壁面に固定する電子機器の固定方法であって、ケーシングの後面と壁面との間に、取付穴に対応する部分が欠如している壁パッキンを挟み、ケーシングを壁面に固定したあと、ケーシングと壁面との間の隙間を全周にわたってコーキング剤で封止する方法において、上記取付穴を囲繞する取付穴パッキンをケーシングと壁面との間に挟んでケーシングを壁面に固定することを特徴とする。
【０００９】
取付穴に前方から水が侵入しても、取付穴の後方側は取付穴パッキンで囲まれているので、取付穴からケーシングと壁面との間に流れ出ることがない。
【００１０】
なお、上記壁パッキンを取付穴パッキンより変形しやすい材料で構成すると、ねじを締め付けた際に取付穴パッキンがケーシングと壁面とで強く挟まれ、取付穴パッキンの防水性が確保される。なお、壁パッキンを取付穴パッキンよりも変形しやすくすることにより壁パッキンが壁面やケーシングの後面の形状に合わせて密着し、取付穴パッキンを追加しても壁パッキンの防水性が損なわれることがない。
【発明の効果】
【００１１】
以上の説明から明らかなように、本発明は、取付穴内に侵入した水がケーシングと壁面との間に流れ出ることがないので、コーキング剤で囲まれた空間に水が溜まることがなく、従って、壁面の寿命やネジの寿命が損なわれることがない。
【発明を実施するための最良の形態】
【００１２】
図１を参照して、１は本発明が適用される電子機器の一例である浴室テレビである。この浴室テレビ１は浴室ＢＲの壁面Ｗに固定されている。
【００１３】
図２に示すように、浴室テレビ１は後ケーシング２１と前ケーシング２２とが内部に水が侵入しないように密着されたケーシングを有している。両ケーシング２１，２２は例えば両者の間に挟まれた電熱線を外部から給電して接合部分を互いに溶融させて溶着する、いわゆるフラットフージョンと呼ばれる方法で相互に接合されている。また、そのフラットフージョンで接合された接合部よりも外側に位置するように取付穴３が設けられている。この取付穴３はケーシングを前後方向に貫通するように設けられており、この取付穴３に対して前方から差し込まれたネジによって壁面Ｗに固定される。なお、固定されたあと、コーキング剤Ｃでケーシングと壁面Ｗとの間の隙間が封止される。なお、ネジおよび取付穴３を隠すために、ケーシングの前面にはカバー１１，１２，１３が着脱自在に取り付けられる。
【００１４】
図３を参照して、後ケーシング２１の後面には予め壁パッキン４が貼着される。一方、後ケーシング２１の後面には取付穴３を間込むように取付座３１が形成されている。そして、壁パッキン４にはこの取付座３１を避けるように切欠き部４１が設けられている。なお、１４は外部からのケーブル類をケーシング内に導入する導入口である。
【００１５】
本実施の形態では、図４に詳細を示すように、取付座３１に取付穴パッキン５を貼着するようにした。この取付穴パッキン５には取付穴３を囲繞する開口５１が設けられている。なお、取付座３１には上述のフラットフージョンを行う際に電熱線に給電する電極が挿入される挿入口３２が設けられている場合があるが、取付穴パッキン５はその挿入口３２を塞ぐように形成されている。従って、挿入口３２は取付穴パッキン５で塞がれることになる。
【００１６】
ところで、壁パッキン４は上述のようにスポンジ状の材料で形成したが、取付穴パッキン５は壁パッキン４の材料であるスポンジ材よりも硬くて変形しづらい材料を用いた。このように、壁パッキン４と取付穴パッキン５との材質を相違させることにより、ネジでケーシングを壁面Ｗに固定する際に、ネジの締め付け力が取付穴パッキン５に有効に作用してケーシングを強く壁面Ｗに固定することができる。そして取付穴パッキン５が変形しにくいので、固定された状態のケーシングがぐらつくことがない。
【００１７】
一方、壁パッキン４は変形しやすいので後ケーシング２１の後面や壁面Ｗに密着して、ケーシングや壁面Ｗに大きな応力を作用させることなく防水性を確保することができる。
【００１８】
なお、本発明は上記した形態に限定されるものではなく、本発明の要旨を逸脱しない範囲内において種々の変更を加えてもかまわない。
【図面の簡単な説明】
【００１９】
【図１】本発明の一実施の形態の構成を示す図
【図２】浴室テレビの正面の状態を示す図
【図３】浴室テレビの後面を示す図
【図４】取付穴パッキンの取付状態を示す図
【符号の説明】
【００２０】
１  浴室テレビ
３  取付穴
４  壁パッキン
５  取付穴パッキン
３１  取付座
３２  挿入口
ＢＲ  浴室
Ｃ  コーキング剤
Ｗ  壁面
【図１】
2008236302.tif 000003
【図２】
2008236302.tif 000004
【図３】
2008236302.tif 000005
【図４】
2008236302.tif 000006